(57)【要約】本発明は、デジタルビデオコード化のための方法に関し、ビデオファイルフォーマットとストリーム及びブロードキャストフォーマットのビデオデータを効率的にコード化するために使用されることができる。請求される発明の技術的結果は、ソースデジタルビデオのコード化によって得られるデジタルビデオの画質を向上させることを目的としている。デジタルビデオコード化のための方法はソースデジタルビデオをコード化し、該ソースデジタルビデオは任意のフォーマットで、及び必要な解像度を超過する任意の解像度で提供される。コード化段階では、ソースデジタルビデオは一組のビデオフレームへと分割され、この一組からの各ビデオフレームが、画素で構成される一組のブロックへと分割される。そして、以下の手順により、少なくとも１つのコード化されたビデオが、ビデオフレームシーケンスから作り出される。前のビデオフレームとは完全に異なる場合、すべての後続のフレームがコード化されたビデオに追加される。すべての後続のビデオフレームが前のビデオフレームを繰り返す場合、前のフレームを繰り返すためのコマンドが、後続のビデオフレームではなく、作り出されたデジタルビデオに追加される。すべての後続のビデオフレームが、完全には異なっていない場合、異なるブロックに配慮した前のフレームを繰り返すためのコマンドが、作り出されたデジタルビデオに追加される。コード化は、圧縮率に関わらず、コード化されたビデオ内の正方形状画素を保つように実行される。前記コード化されたビデオは少なくとも１つのメディアサーバに保存される。得られたコード化デジタルビデオのアスペクト比は、対応するディスプレイ装置のアスペクト比の倍数であり、多重度は整数又は分数のどちらでもよい。【特許請求の範囲】
【請求項１】
複数の段階からなるデジタルビデオのコード化の方法であって、
ソースデジタルビデオがコード化され、前記ソースデジタルビデオは任意のフォーマットで、及び必要な解像度を超過する任意の解像度で提供され、
コード化の段階で、前記ソースデジタルビデオは一組のビデオフレームへと分割され、この一組からの各ビデオフレームが、画素で構成される一組のブロックへと分割され、
前記ビデオフレームのシーケンスに基づいてコード化されたデジタルビデオが以下のように作り出され、すなわち、
・前のビデオフレームとは完全に異なる場合、すべての後続のフレームが前記コード化されたビデオに追加され、
・すべての後続のビデオフレームが前のビデオフレームを繰り返している場合、前のフレームを繰り返すコマンドが、後続の前記ビデオフレームではなく、作り出された前記デジタルビデオに追加され、
・すべての後続のビデオフレームが完全には異なっていない場合、異なるブロックに配慮して前のフレームを繰り返すためのコマンドが、作り出された前記デジタルビデオに追加され、
・前記コード化は、圧縮率に関わらず、前記コード化されたビデオ内の正方形の画素形状を保つように実行され、
・前記コード化されたビデオは少なくとも１つのメディアサーバに保存される、
ことを特徴とする方法。
【請求項２】
得られた前記コード化されたデジタルビデオのアスペクト比は、対応するディスプレイ装置の前記アスペクト比の倍数であり、多重度は整数値又は分数値のいずれかであることが可能であることを特徴とする請求項１に記載の方法。
【発明の詳細な説明】
【技術分野】
【０００１】
本発明は、デジタルビデオ（映像）のコード化（ｅｎｃｏｄｅ、符号化）の方法に関する。本発明は、ビデオファイルフォーマットと、ストリーミング（ｉｎ  ｓｔｒｅａｍ）と、ブロードキャストビデオフォーマットと、の中のビデオデータをいずれも効率的にコード化するために使用されることができる。
【背景技術】
【０００２】
ビデオ、テレビ画像、静止画像、又はＶＣＲもしくはＰＣを使って作り出された画像などのデジタル画像は、水平線及び垂直線に沿って位置する画素を含む。１つの画像フレームは、通常、何万もの画素を含む。各画素は、通常、輝度と色度の情報を含む。暗号化されていないデジタル画像は、大量の情報を含む。ＪＰＥＧ、ＭＰＥＧ、及びＨ．２６３スタンダードなどの、数々のコード化方法は、転送されるデータ量を減らすために開発された。典型的なビデオエンコーダは、ソースビデオのシーケンス（ｓｏｕｒｃｅ  ｖｉｄｅｏ  ｓｅｑｕｅｎｃｅ）のフレームを、内部モード又は中間モードにコード化された矩形領域又はブロックへと分割する。ブロックは、例えば離散コサイン変換（ＤＣＴ）法など、特定の種類の変換コードを使って、独立してコード化される。
【０００３】
しかし、ソースビデオシーケンスのフレームの、矩形領域もしくはブロックへの分割を含むコード化は、いくつかの不利な点を有する。これらの不利な点の１つは、デジタルビデオ画像の画質の低下（ｌｏｓｓ、劣化）である。
【発明の概要】
【発明が解決しようとする課題】
【０００４】
請求項記載の発明の技術的結果は、ソースデジタルビデオのコード化によって得られるデジタルビデオの画質を向上させることを目的としている。
【課題を解決するための手段】
【０００５】
この技術的結果は、ソースデジタルビデオをコード化することにより達成され、このソースデジタルビデオは、例えば以下のような任意のフォーマット、及び必要な解像度を上回る任意の解像度で提供されてもよい。
−Ａｐｐｌｅ  ＰｒｏＲｅｓ  ４４４４
−Ａｐｐｌｅ  ＰｒｏＲｅｓ  ４２２  （ＨＱ）
−Ａｐｐｌｅ  ＰｒｏＲｅｓ  ４２２
−Ａｐｐｌｅ  ＰｒｏＲｅｓ  ４２２  （ＬＴ）
−Ａｐｐｌｅ  ＰｒｏＲｅｓ  ４２２  （Ｐｒｏｘｙ）
−フルＨＤ  （１９２０×１０８０）
−ＨＤ  （１２８０×７２０）  など
【０００６】
コード化の段階で、ソースデジタルビデオは、一組のビデオフレームへと分割され、この一組のビデオフレームからのそれぞれのビデオフレームが、画素で構成される一組のブロックへと分割される。
【０００７】
以下の手順により、少なくとも１つのコード化されたビデオが、ビデオフレームのシーケンス（一続きになっている映像フレーム）から作り出される。
−前のビデオフレームとは完全に異なる場合、すべての後続のフレーム（ｓｕｂｓｅｑｕｅｎｔ  ｆｒａｍｅ）が、コード化されたビデオに追加される。
−すべての後続のビデオフレームが前のビデオフレームを繰り返している場合、前のフレームを繰り返すためのコマンドが、後続のビデオフレームではなく、作り出されたデジタルビデオに追加される。
−すべての後続のビデオフレームが、部分的に前のビデオフレームを繰り返す場合、異なるブロックに配慮して前のフレームを繰り返すためのコマンドが、作り出されたデジタルビデオに追加される。
−コード化は、圧縮率に関わらず、コード化されたビデオの中で正方形の画素形状（ｓｑｕａｒｅ  ｐｉｘｅｌ  ｓｈａｐｅ）を保つように実行される。
−画素の形状が正方形を保っている場合には、コード化されたデジタルビデオのビデオフレームのアスペクト比の多重度（ｍｕｌｔｉｐｌｉｃｉｔｙ）は任意であってよい。しかし、デジタルビデオの最適な画質を確保するために、コード化されたビデオのビデオフレームアスペクト比を、ディスプレイ装置のアスペクト比の倍数にすることを推奨する。
この場合、多重度は整数値又は分数値のどちらであってもよい。
−画素の形状が正方形を保っている場合には、圧縮率に関わらず、コード化されたデジタル画像のいかなる画質の低下もなく、コード化されたデジタル画像のビットレートを実質的に減少させることができる。従って、コード化されたデジタル画像のファイルサイズを大幅に減少させることが可能である。このファイルサイズは、画質の低下なしに、ビットレートに直接正比例する（ファイルサイズ＝ビットレート×ファイル長）。
得られたコード化されたビデオは、少なくとも１つのメディアサーバに保存される。
【０００８】
フルＨＤ規格のディスプレイ装置（１９２０×１０８０）のビデオフレームサイズに関連する、コード化されたデジタルビデオの中のビデオフレームのアスペクト比の多重度の例が、以下の表に記載されている。
【０００９】
【表１】
2015522223.tif 000002
【００１０】
画素の形状がコード化されたデジタルビデオの中で正方形を保ち、且つコード化されたデジタルビデオの絵のビデオフレームのアスペクト比が、フルＨＤのディスプレイ装置（１９２０×１０８０）のビデオフレームサイズに対応する場合、特許請求の範囲の技術的結果を実現させることが可能である。すなわち、
−この方法は、スマートフォン、タブレットＰＣ、ラップトップ、デスクトップモニター、テレビ画面等の、最も一般的な技術的解決法を網羅しているために、このような表示に対応する任意の装置の種類で、最適な画質のコード化されたデジタルビデオを表示する。
−高解像度で且つ最適な画質のコード化されたデジタルビデオを、例えば以下のような遅いデータ転送速度でユーザに配信する。
ａ）  ５Ｍｂｉｔ／ｓ未満の転送速度のフルＨＤ（１９２０×１０８０）
ｂ）  ２Ｍｂｉｔ／ｓ未満の転送速度のＨＤ（１２８０×７２０）
ｃ）  その他
【００１１】
本発明で開示されるすべての方法の段階は、コンピュータを使用して、又はＣＰＵで実行されるソフトウェア（ＳＷ）モジュールとして、明確に実施されることができる。ＳＷモジュールは、ハードディスク、リムーバブルディスク、ＣＤ−ＲＯＭ、あるいはその他の既存のストレージメディア（記憶媒体）上の、ＲＡＭ、フラッシュメモリ、ＲＯＭ、固定記憶手段、ＥＲＯＭ、ＥＥＰＲＯＭ、レジスタに保存することができる。一方で、ストレージメディアはＣＰＵに一体化することが可能である。ＣＰＵとストレージメディアは、専用集積回路に置かれていてもよい。専用集積回路はユーザ端末に位置していてもよい。代替的には、記録媒体とＣＰＵは個別の構成要素としてユーザ端末に位置していてもよい。
【００１２】
本発明で開示されるデジタルビデオのコード化のための方法は、記載された方法を実施するためのいくつかの段階又は動作で構成される。段階又は動作の順序は、本発明の範囲を超えずに変更されてもよい。
【００１３】
当業者は、本方法が、本発明で開示される特定の段階や動作によって限定されないことを理解すべきであろう。
【国際調査報告】
2015522223.tif 000003
2015522223.tif 000004